(57)【要約】【課題】縦型スキャナ装置はチェックアウトカウンタ上でスペースをとる。【解決手段】一実施形態によれば、表示画面を有する表示器と、この表示器の前記表示画面に表示され、商品情報に予め割付けられた画面キーを含む商品の登録画面を生成する登録画面生成部と、この登録画面生成部により生成される前記登録画面から前記画面キーのタッチ入力を検知するタッチパネルと、このタッチパネルによりキー入力された前記画面キーに対応する価格情報を含む会計画面を生成する会計画面生成部と、この会計画面生成部による前記会計画面および前記登録画面を切替えて前記表示器に表示させる画面切替部と、を備える商品登録装置が提供される。【選択図】図１
2013257693.tif 000002
【特許請求の範囲】
【請求項１】
表示画面を有する表示器と、
この表示器の前記表示画面に表示され、商品情報に予め割付けられた画面キーを含む商品の登録画面を生成する登録画面生成部と、
この登録画面生成部により生成される前記登録画面から前記画面キーのタッチ入力を検知するタッチパネルと、
このタッチパネルによりキー入力された前記画面キーに対応する価格情報を含む会計画面を生成する会計画面生成部と、
この会計画面生成部による前記会計画面および前記登録画面を切替えて前記表示器に表示させる画面切替部と、
を備える商品登録装置。
【請求項２】
前記会計画面生成部は、前記画面切替部が前記会計画面を前記登録画面へ切替える処理に対応付けられたワンタッチキーを前記表示画面に表示させる請求項１記載の商品登録装置。
【請求項３】
前記登録画面生成部は、前記画面切替部が前記登録画面を前記会計画面へ切替える処理に対応付けられた他の画面キーを前記表示画面に表示させる請求項１記載の商品登録装置。
【請求項４】
複数のハードウェアキーを有するキーボードを更に備え、
前記画面切替部は前記登録画面を表示中、これらのハードウェアウェアキーおよびそれぞれ前記タッチパネルを介して選択される複数の画面キーのうち、商品登録処理の続行に対応付けられた何れかのキーの入力を受付ける請求項１記載の商品登録装置。
【請求項５】
前記画面切替部は、前記複数のハードウェアキーおよび前記複数の画面キーのうち、前記何れかのキーと異なる他のキーの入力によって、前記登録画面を前記会計画面へ切替える請求項４記載の商品登録装置。
【請求項６】
前記画面切替部は、置数、割引、値引および取消を含む処理に対応付けられたハードウェアキーの入力により前記商品登録処理を続行する請求項４記載の商品登録装置。
【発明の詳細な説明】
【技術分野】
【０００１】
一実施形態は商品登録装置に関する。
【背景技術】
【０００２】
スーパーマーケットや量販店等ではＰＯＳ（ｐｏｉｎｔ ｏｆ ｓａｌｅｓ）端末等の商品登録装置に縦型スキャナ装置が接続されており、オペレータが読取窓に商品をかざした状態でこの商品に付されたコードシンボルをこの縦型スキャナ装置が読取って商品コードの登録や決済を行うようにしている（例えば特許文献１参照）。従来、タッチキーを用いてデータ入力しつつ商品登録業務を行うための登録画面と、商品登録後の会計業務を行うための会計画面とを設け、これらの登録画面及び会計画面を切替表示することを可能とした商品販売登録データ処理装置が知られている（例えば特許文献２参照）。
【０００３】
一方パンを扱うベーカリーや果物や揚げ物などを扱う小売店では、商品登録装置は商品の単価や品名などの商品情報を予め単品登録キーに割付けしておき、タッチパネル上に表示された単品登録キーをオペレータがワンタッチ入力するだけで商品の販売データを商品登録装置に登録するようにしている。単品とは販売対象商品を言い、例えばパンの例では一個のパン、あるいは複数個まとめられたパンを指す。単品登録とはワンタッチキーに商品名を割付けるために予め実行する処理を言う。
【先行技術文献】
【特許文献】
【０００４】
【特許文献１】特開２０１１−１１３３０７号公報
【特許文献２】特開平８−２３５４４７号公報
【発明の概要】
【発明が解決しようとする課題】
【０００５】
しかし、例えばベーカリー店のパンなど、バーコードが付されていない商品を主に販売する店舗では縦型スキャナ装置を使わずに商品登録が行われることが多く、この縦型スキャナ装置がチェックアウトカウンタ上でスペースをとる。例えばベーカリー店のＰＯＳ端末は、パン種別毎に割当てられた商品別の単品登録キーをオペレータがワンタッチ入力するだけで対応するパンの販売データの単品登録を行っている。
【課題を解決するための手段】
【０００６】
このような課題を解決するため、一実施形態によれば、表示画面を有する表示器と、この表示器の前記表示画面に表示され、商品情報に予め割付けられた画面キーを含む商品の登録画面を生成する登録画面生成部と、この登録画面生成部により生成される前記登録画面から前記画面キーのタッチ入力を検知するタッチパネルと、このタッチパネルによりキー入力された前記画面キーに対応する価格情報を含む会計画面を生成する会計画面生成部と、この会計画面生成部による前記会計画面および前記登録画面を切替えて前記表示器に表示させる画面切替部と、を備える商品登録装置が提供される。
【図面の簡単な説明】
【０００７】
【図１】実施の形態に係る商品登録装置の斜視図である。
【図２】実施の形態に係る商品登録装置の登録画面の一例を示す図である。
【図３】実施の形態に係る商品登録装置の会計画面の一例を示す図である。
【図４】実施の形態に係る商品登録装置に用いられるキーボードのキー配置例を示す図である。
【図５】実施の形態に係る商品登録装置の制御系を主体にした要部構成のブロック図である。
【図６】実施の形態に係る商品登録装置に用いられるキーの割付け設定画面の一例を示す図である。
【図７】実施の形態に係る商品登録装置による商品登録処理を説明するためのフローチャートである。
【図８】実施の形態に係る商品登録装置による会計画面から登録画面への切替表示処理を説明するためのフローチャートである。
【図９】実施の形態に係る商品登録装置による登録画面から会計画面への切替表示処理を説明するためのフローチャートである。
【図１０】実施の形態に係る商品登録装置が登録画面において商品登録処理の続行に対応付けられたキーが押下されたときの処理を説明するためのフローチャートである。
【図１１】実施の形態に係る商品登録装置による商品登録処理の続行処理に対応付けられたハードウェアキーを示す表図である。
【発明を実施するための形態】
【０００８】
以下、実施の形態に係る商品登録装置について、図１乃至図１１を参照しながら説明する。尚、各図において同一箇所については同一の符号を付すとともに、重複した説明は省略する。
【０００９】
図１は実施の形態に係る商品登録装置の斜視図である。ＰＯＳ端末１０（商品登録装置）は、表示画面１２を有する表示器１３と、この表示器１３の表示画面１２に表示され商品情報に予め割付けられた画面キーを含む商品の登録画面を生成する登録画面生成部１５と、この登録画面生成部１５により生成される登録画面から画面キーのタッチ入力を検知する表示画面１２上に設けられたタッチパネル１４とを備えている。
【００１０】
ＰＯＳ端末１０は、この登録画面上の単品登録キーに対応する単価情報を商品コード毎に記憶する第１データベース１６と、タッチパネル１４によりキー入力された画面キーに対応する価格情報を含む会計画面を表示器１３に表示させる会計画面生成部１７と、この会計画面生成部１７による会計画面及び登録画面生成部１５による登録画面を切替えて表示器１３に表示させる画面切替部１８とを備えている。更にＰＯＳ端末１０は、複数のハードウェアキーを有するキーボード１９と、バーコードを読取るスキャナ２０と、顧客との商取引の記録を記憶する第２データベース２１と、レシートを印字出力するプリンタ２２と、釣銭用のドロワ２３と、ＰＯＳ端末１０全体の主制御やデータ検索、計算、データ読み書き等を行う情報処理部２４とを備えている。
【００１１】
表示器１３は液晶や有機ＥＬ（ｅｌｅｃｔｒｏｌｕｍｉｎｅｓｃｅｎｃｅ）素子を表示の画素として有する表示画面１２上にタッチパネル１４が積層されて構成されている。この表示器１３は、互いに別個に構成されるバーコードの読取作業者（チェッカ）用の登録画面及び決済作業者（キャッシャ）用の会計画面を一つの筐体上で表示する。表示画面１２は複数の画素により一画面領域が形成されている。従来例によるレジ側端末にはこのレジ側端末と独立に縦型スキャナ装置が接続されている。ＰＯＳ端末１０では縦型スキャナ装置が設けられておらず、この縦型スキャナ装置のディスプレイ上に表示される登録画面を、ＰＯＳ端末１０が会計画面から切替えて表示するようになっている。
【００１２】
登録画面生成部１５は登録画面を表示器１３に表示させる。図２は登録画面の一例を示す図である。既述の符号はそれらと同じ要素を表す。登録画面２６はタッチパネル１４により入力される数値、それぞれ商品に予め割付けられた複数の単品登録キー及びこれらの単品登録キーにより入力された商品の単価などの情報を含む。
【００１３】
この登録画面２６は複数の単品登録キー２７と、商品情報表示領域２８と、戻りキー（戻りボタン）２９とを有する。これらの単品登録キー２７、戻りキー２９は画面キーである。画面キーとはソフトウェアによってタッチパネル１４の表示画面１２上に生成表示されるキーを言う。単品登録キー２７は、野菜やパン、揚げ物といったバーコードが直接付されない商品の商品名に予め割付けられたキーである。商品情報表示領域２８は第１データベース１６の検索の結果得られた商品情報の全部あるいは一部を表示するための領域である。商品情報とは商品コード、商品名、売単価などを言う。戻りキー２９は表示器１３の表示を登録画面２６から会計画面に切替える処理に対応付けられた画面キーである。
【００１４】
図１の第１データベース１６は商品コード毎に、商品名や単価を記憶する。第１データベース１６は商品マスタファイル用の記憶領域である。第１データベース１６は期限付き商品であるかどうかを示すフラグ情報や販売可能日時の情報を商品コードに対応付けて記憶してもよい。期限とは商品の製造者が品質を保持すると認める品質保持期限を言う。第１データベース１６には商品マスタファイルが図示しないストアコンピュータから予めダウンロードされてある。
【００１５】
会計画面生成部１７は会計画面を表示器１３に表示させる。この会計画面は、それぞれキー入力された商品に対応する単価情報及び数値情報から計算される一取引の金額などの情報を含む。図３は会計画面の一例を示す図である。既述の符号はそれらと同じ要素を表す。会計画面３０は直近の商品登録情報を表示するカレントエリア３１と、一取引として登録処理された取引明細を一覧表示する明細エリア３２と、一取引の合計を表示する合計エリア３３とを有する。カレントエリア３１が現在登録されたカレント商品情報を表示し、明細エリア３２が連続的に登録されるカレント商品情報を下から上へ順番にずらして表示するようにされている。会計画面３０は更に画面右手の複数の機能アイコンの表示用のエリア３４を有する。このエリア３４内のプリセットキー３５は単品登録処理を始めるための画面キーである。画面切替キー３６は画面切替部１８によって会計画面３０を登録画面２６へ切替える処理に対応付けられた画面キーである。
【００１６】
画面切替部１８（図１）は登録画面生成部１５による登録画面２６の表示中、キーボード１９上のハードウェアウェアキー及び表示器１３上の画面キーのうち、商品登録処理の続行に対応付けられたキーの入力を受付ける。商品登録処理の続行に対応付けられたキーとは処理続行に最低限必要なキーを言い、例えば数字１〜９、０を表す置数キー、割引キー、値引キー、取消キーなどを指す。画面がキー入力で反応して登録画面２６から他の画面に替わってしまうことを避けて、商品登録操作を妨げることなくオペレータが登録処理を続けることが可能にされている。また、画面切替部１８はキーボード１９上のハードウェアキー及び登録画面２６上に表示される複数の画面キーのうち、商品登録処理の続行に必要なキーと異なるハードウェアキーの入力を検知すると、登録画面２６を会計画面３０へ切替えるようになっている。例えば単価情報読出し、商品ポイントカード訂正などのハードウェアキーが押されると画面切替部１８は表示器１３に登録画面２６を会計画面３０に切替えるよう指令する。
【００１７】
図４はキーボード１９のキー配置例を示す図である。同図のキー５０〜６１は何れもハードウェアキーである。キーボード１９は数値データを置数する置数キー５０、選択を取消す取消キー５１、数値データが割引率であることを指令する割引キー５２、数値データが値引額であることを指令する値引キー５３、数値データのクリア等を指令するクリアキー５４、一取引の小計出力を指令する小計キー５５、一取引の現金による決済（締め）を指令する現計キー５６を有する。キーボード１９は単価情報読出しキー５７、顧客ポイントカードキー５８、その訂正キー５９、各商品を分類され部門毎に売上登録された金額及び点数を累計するための部門コードキー６０及び単品登録されたプリセットキーを呼び出すためのプリセット部門キー６１を有する。例えば置数キー５０は情報処理部２４に接続された回路基板上の配線に電気的に接触、離間する可動接点を有するボタンベースと、このボタンベース上に被せられた透明な合成樹脂からなるキートップと、このキートップの表面、裏面のうちボタンベース面を向く裏面に設けられ商品名を印刷された薄いキーラベルとを有する。取消キー５１からプリセット部門キー６１の各キー構造も置数キー５０と実質同じ構造を持つ。
【００１８】
また、図１のスキャナ２０は商品に付されたバーコードを光学的に読取ってコードシンボルをデコードしコードデータを取得する。バーコードは例えば１３桁の数字の列であるＪＡＮコードや２６桁の数字の列であるインストアコードである。情報処理部２４は、スキャナ２０からのコードデータによって商品マスタファイルを検索して商品を特定し商品単品データを読出す。情報処理部２４は計算機能を有し、この単品データに基づいて商品の点数及び金額を登録処理する。第２データベース２１はトランザクションデータ用の記憶領域である。トランザクションデータは一取引毎に商品情報及び預かり金額情報を対応付けたデータ列であり、取引番号に関連付けて一取引分の売上情報（購入商品、個数、合計金額など）を記憶する。
【００１９】
図５はＰＯＳ端末１０の制御系を主体にした要部構成のブロック図である。既述の符号はそれらと同じ要素を表す。ＰＯＳ端末１０は、ＣＰＵ（ｃｅｎｔｒａｌ ｐｒｏｃｅｓｓｉｎｇ ｕｎｉｔ）４１と、このＣＰＵ４１をＰＯＳ端末１０として動作させるためのプログラムを記憶するＲＯＭ（ｒｅａｄ ｏｎｌｙ ｍｅｍｏｒｙ）４２と、作業領域を有するＲＡＭ（ｒａｎｄｏｍ ａｃｃｅｓｓ ｍｅｍｏｒｙ）４３と、第１データベース１６及び第２データベース２１の記憶領域を有するハードディスクドライブ４４と、バスライン４５とを備えている。これらのＣＰＵ４１、ＲＯＭ４２及びＲＡＭ４３は情報処理部１８を構成する。ＲＯＭ４２あるいはＲＡＭ４３は、商品情報と、単品登録された商品の単品登録キーのキー名とを関連付けしたテーブルを記憶する。
【００２０】
更にＰＯＳ端末１０はストアコンピュータとデータ通信を行う通信インターフェース３７と、キーボード１９の操作キーの信号を読込むキーボードコントローラ３８と、表示器１３の画面上のタッチ位置を取得するタッチパネルコントローラ３９と、ドロワ２３へ開放指令を通知するためのＩ／Ｏポート４０と、プリンタ２２用のプリンタコントローラ４６と、スキャナ２０用のスキャナコントローラ２５とを備えている。タッチパネルコントローラ３９はＣＰＵ４１からの画像信号によって、表示器１３内でマトリクス状に配置された複数のスイッチング素子をオンオフ駆動する。タッチパネルコントローラ３９は一画面領域中での頂点座標を指定し、この頂点座標から画面キー一個のキー高さ分及びキー幅分の距離内に位置するスイッチング素子を選択駆動させる。このタッチパネルコントローラ３９が対応する液晶等を駆動することにより表示器１３に画面キーを表示させるようになっている。
【００２１】
上述の構成を有するＰＯＳ端末１０は接客前にオペレータの操作により単品登録キーの割付け処理を行う。例えば図３のプリセットキー３５が画面上で選択されると、ＣＰＵ４１は図６に示す画面を表示する。図６は単品登録キーの割付け設定画面の一例を示す図である。キー登録画面４７上で、オペレータのタッチによって例えば「じゃがいも」という商品欄が選択されたことをＣＰＵ４１が検出する。ＣＰＵ４１はオペレータに割付けすべきキー番号の入力を促す内容を表示し、対話的にオペレータにより選択された商品名「じゃがいも」をエリア４９に表示する。ＣＰＵ４１は割付実行キー４８が押下されたことを検知すると、オペレータ入力されたキー番号情報と、商品名「じゃがいも」の単品登録キーとをＲＡＭ４３上で関連付けして登録する。ワンタッチで反応する機能を持つキーが割付けられる。
【００２２】
ＰＯＳ端末１０はチェックアウトカウンタの荷役台上に載置されている。例えば一人制では一人のオペレータがこのＰＯＳ端末１０の傍に立ち、このオペレータが読取作業及び決済作業を行う。オペレータはチェックアウトレーンにいる客の買物かごから商品「じゃがいも」の袋を取出し、読取作業を始める。最初にオペレータ操作によりＣＰＵ４１は表示器１３に登録画面２６を表示させる。キーボード１９への操作選択の検出によりＣＰＵ４１は登録済みのプリセットキーの配列ページを表示させる。
【００２３】
図７はＰＯＳ端末１０の商品登録処理を説明するためのフローチャートである。この処理をＣＰＵ４１がＲＯＭ４２内のプログラムにより実行する。アクトＡ１においてＰＯＳ端末１０はスキャナ２０によるスキャンやキーボード１９のキー入力が発生することを待機している（Ｎルート）。アクトＡ１において例えば商品「じゃがいも」に対応する単品登録キー２７がタッチ選択されると、Ｙルートを通り、アクトＡ２においてＰＯＳ端末１０は商品マスタファイルにアクセスして商品名「じゃがいも」に対応する商品情報を検索する。
【００２４】
アクトＡ３においてＰＯＳ端末１０は検索によって得られた現在の商品情報を表示器１３に表示する。ＰＯＳ端末１０は会計画面３０を表示する。カレントエリア３１は、直近に登録された商品コードに対応した商品名、単価、販売数や小計金額などを表示する。明細エリア３２は一取引における１品目以上の商品情報を表示する。明細エリア３２は「割引／値引」という各商品の単価に対する割引や値引の値を示すための項目を設けてもよい。合計エリア３３は、商品登録された商品の小計、外税、値割引合計、合計金額等を表示する。
【００２５】
引き続き図７のアクトＡ４においてＰＯＳ端末１０は締め操作が入力されるかどうかを判定する。アクトＡ４ではＰＯＳ端末１０は「転送」と付された画面キーを表示器１３に表示させてもよい。転送キーの押下を検出して登録完了を出力するという処理をＰＯＳ端末１０は実行してもよい。アクトＡ４においてＣＰＵ４１に締め入力が通知されると、Ｙルートを通り、アクトＡ５においてＰＯＳ端末１０は記憶された商品情報を一取引分の商品情報として確定させる。ＰＯＳ端末１０はトランザクションデータに商品情報を、取引番号を付して書込む。ＰＯＳ端末１０は一連の商品コード入力処理を終える。
【００２６】
また、アクトＡ４においてＣＰＵ４１が締め操作の入力が通知されない間、Ｎルートを通り、アクトＡ６においてＰＯＳ端末１０は別途新たな商品コードが入力されているかどうかを判定する。このアクトＡ６において商品コードの入力がないと、ＰＯＳ端末１０はＮルートを通り、アクトＡ４の処理を行う。ＰＯＳ端末１０は商品コードの入力が通知されない間、アクトＡ４及びアクトＡ６の処理を繰返す。アクトＡ６においてＰＯＳ端末１０が新たな商品コードが入力されたと判定すると、Ｙルートを通り、ＰＯＳ端末１０はアクトＡ２の処理を実行する（１と付された記号参照）。
【００２７】
以上がＰＯＳ端末１０による主な処理である。
【００２８】
引き続き例えばアクトＡ３において会計画面３０の表示中、客が新たに商品を追加して買物かごに入れ、オペレータに追加を求めるとする。
【００２９】
図８は実施の形態に係る商品登録装置によるキャッシャ画面からチェッカ画面への切替表示処理を説明するためのフローチャートである。オペレータが会計画面３０（キャッシャ会計画面と表記されている）のナビメニュー上にある画面切替キー３６を押下したとする。会計画面３０をＰＯＳ端末１０は表示している（アクトＢ１）。ＣＰＵ４１はキー入力を検知する（アクトＢ２）。このキー入力をキーボードコントローラ３８からの割込み信号の通知によってＣＰＵ４１は検知する。ＰＯＳ端末１０は入力キーが画面切替キー３６であるかどうかを判定する（アクトＢ３）。入力キーが画面切替キー３６でない場合、Ｎルートを通り、ＰＯＳ端末１０はアクトＢ１の処理を行う。入力キーが画面切替キー３６であるとＣＰＵ４１が判定した場合、Ｙルートを通り、ＰＯＳ端末１０は画面切替を実行する（アクトＢ４）。ＰＯＳ端末１０は表示器１３に登録画面２６（同図ではチェッカ画面と表記）を表示する（アクトＢ５）。オペレータは追加の商品をスキャナ２０、キーボード１９によって商品登録する。この登録画面２６の表示中、商品登録操作が終了すると、オペレータは登録画面２６で“戻る”と表示された戻りキー２９を押下する。追加で商品登録された商品も含めてＰＯＳ端末１０は会計処理を再開する処理について述べる。
【００３０】
図９は実施の形態に係る商品登録装置によるチェッカ画面からキャッシャ画面への切替表示処理を説明するためのフローチャートである。登録画面２６（チェッカ登録画面）をＰＯＳ端末１０は表示している（アクトＣ１）。ＰＯＳ端末１０はキー入力を検知すると（アクトＣ２）、入力キーが戻りキー２９であるかどうかを判定する（アクトＣ３）。入力キーが戻りキー２９でない場合、Ｎルートを通り、ＰＯＳ端末１０はアクトＣ１の処理を行う。入力キーが戻りキー２９である場合、Ｙルートを通り、ＰＯＳ端末１０は画面切替を実行する（アクトＣ４）。ＰＯＳ端末１０は表示器１３に会計画面３０（同図ではキャッシャ画面と表記）を表示する（アクトＣ５）。このアクトＣ５ではＰＯＳ端末１０は締めキーの操作によって追加登録された金額を含めて合計金額を表示する。更にＰＯＳ端末１０はオペレータ入力による預かり金額から、合計金額を減算して釣銭額を表示する。ＰＯＳ端末１０はドロワ２３を開放する。ＰＯＳ端末１０はレシートを発行する。ＰＯＳ端末１０は売上データを第２データベース２１に書込む。
【００３１】
次に、会計画面３０から登録画面２６へ画面切替後、ハードウェアキーが押下された場合、ＰＯＳ端末１０はキー名に応じて登録画面２６での商品登録処理の続行と、登録画面２６から会計画面３０への切替えとのうちの何れか一方を行う。
【００３２】
図１０は実施の形態に係る商品登録装置によるチェッカ画面において商品登録処理の続行に必要なキーが押下されたときの処理を説明するためのフローチャートである。登録画面２６（チェッカ登録画面）をＰＯＳ端末１０は表示している（アクトＤ１）。ＰＯＳ端末１０はキー入力を検知すると（アクトＤ２）、入力キーが商品登録処理の続行に必要なキーであるかどうかを判定する（アクトＤ３）。置数キー５０、取消キー５１、割引キー５２、値引キー５３などであるとＣＰＵ４１が判定した場合、Ｎルートを通り、ＰＯＳ端末１０はアクトＤ１の処理に戻る。
【００３３】
アクトＤ３において入力キーが置数キー５０、取消キー５１、割引キー５２、値引キー５３などとは異なる場合、Ｙルートを通り、ＰＯＳ端末１０は画面切替を実行する（アクトＤ４）。ＰＯＳ端末１０は表示中の登録画面２６を会計画面３０（同図ではキャッシャ会計画面と表記）に切替える（アクトＤ５）。
【００３４】
図１１は商品登録処理の続行処理に対応付けられたハードウェアキーを示す表図である。図１１に示すハードウェアキー、即ち、置数キー５０、取消キー５１、割引キー５２、値引キー５３などが押されたとき、画面切替部１８（ＣＰＵ４１）は画面切替えをせずにこれらのキー入力を受付ける。画面切替部１８は同図に示すハードウェアキー以外のハードウェアキーが押されたことを検知したとき、ＣＰＵ４１は例外動作として登録画面２６を会計画面３０に切替える。例えば単価情報読出しキー５７や、顧客ポイントカードの訂正キー５９（図４）が押されたことを画面切替部１８が検知した場合、画面切替部１８は画面切替えを実行しない。ＰＯＳ端末１０は登録画面２６をそのまま表示し続ける。仮に図１１の例外動作キーの割当て処理をＰＯＳ端末１０が予め実行しておかないと、登録画面２６の表示中、販売数２点を入力するため置数キー５０の「２」の選択によって画面が切替わる。オペレータにとってはハードウェアキーの入力の都度、登録画面２６が会計画面３０に戻り、あるいは他の画面に切替わってしまう。
【００３５】
ＰＯＳ端末１０は、チェッカ登録画面２６の表示中に図１１に列挙されたハードウェアキー以外が押されたときは例外動作キーが入力されたと判定するようにしているため、キー入力によって登録画面２６が会計画面３０にキータッチで逐一切替わること、あるいは登録画面２６が他の画面に切替わることが避けられるようになる。商品登録操作を妨げることなくオペレータが登録処理を続けることが可能になる。
【００３６】
店舗に縦型スキャナ装置と会計用のレジ側ＰＯＳ端末とを設置する例では、チェックアウトカウンタ上でこの縦型スキャナ装置がスペースを占有する。本実施形態に係る商品登録装置によれば、縦型スキャナ装置への登録と同じ登録をこの縦型スキャナ装置が付いていなくても、縦型スキャナ装置の機能を一台の装置で実行することができる。カウンタの荷役台上のスペースを活用できる。
【００３７】
また、実施の形態に係る商品登録装置によれば、この商品登録装置上でスキャナ登録画面を表示し、スキャナ登録画面のタッチ操作による入力データを例えばＰＯＳのハードウェアキーの値引キー等を使って変更することができるようになる。
【００３８】
上記実施形態では、図２、図３、図４、図１１のキー配置やキー種別や表示内容は種々変更可能であり、これらのキー配置やキー種別を変更して実施したに過ぎない実施品に対して実施の形態に係る商品登録装置の優位性は何ら損なわれるものではない。例えば単品登録キー２７の数はページめくり用のキーを設けることによって拡張させてもよい。ＰＯＳ端末１０は、登録画面２６にそれぞれ商品カテゴリをページインデックスとする複数のページを設けておき、何れかのページが選択されると、選択された商品カテゴリページに属する複数の単品登録キー２７を展開させて表示するようにしてもよい。
【００３９】
上記実施形態では商品登録装置はＰＯＳ端末以外にＥＣＲ（ｅｌｅｃｔｒｏｎｉｃ ｃａｓｈ ｒｅｇｉｓｔｅｒ）として構成されてもよい。
【００４０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
１０…ＰＯＳ端末（商品登録装置）、１２…表示画面、１３…表示器、１４…タッチパネル、１５…登録画面生成部、１６…第１データベース、１７…会計画面生成部、１８…画面切替部、１９…キーボード、２０…スキャナ、２１…第２データベース、２２…プリンタ、２３…ドロワ、２４…情報処理部、２５…スキャナコントローラ、２６…登録画面、２７…単品登録キー、２８…商品情報表示領域、２９…戻りキー、３０…会計画面、３１…カレントエリア、３２…明細エリア、３３…合計エリア、３４…エリア、３５…プリセットキー、３６…画面切替キー、３７…通信インターフェース、３８…キーボードコントローラ、３９…タッチパネルコントローラ、４０…Ｉ／Ｏポート、４１…ＣＰＵ、４２…ＲＯＭ、４３…ＲＡＭ、４４…ハードディスクドライブ、４５…バスライン、４６…プリンタコントローラ、４７…キー登録画面、４８…割付実行キー、４９…エリア、５０〜６１…キー。
【図１】
2013257693.tif 000003
【図２】
2013257693.tif 000004
【図３】
2013257693.tif 000005
【図４】
2013257693.tif 000006
【図５】
2013257693.tif 000007
【図６】
2013257693.tif 000008
【図７】
2013257693.tif 000009
【図８】
2013257693.tif 000010
【図９】
2013257693.tif 000011
【図１０】
2013257693.tif 000012
【図１１】
2013257693.tif 000013